(57)【要約】【課題】把持体を中空状として小物の収納を可能にし、保持体を把持体に着脱できるマッサージ器を提供すること。【解決手段】中空状の把持体１と、回転体３を取り付けた挟持部２ａを有する保持体２からなるマッサージ器であり、保持体２の凸ねじを把持体１の凹ねじに螺合して、保持体を把持体に着脱できるようにした。【選択図】図１
0003182910.tif 000002
【実用新案登録請求の範囲】
【請求項１】
把持体と、把持体上部に位置し且つ回転体を突出させて取り付ける挟持部を有する保持体からなるマッサージ器であって、前記把持体は内部に小物を収納できる筒形・浅碗形等の中空形状であり上端に凹ねじが形成され、該凹ねじに螺合する凸ねじが前記保持体に形成され、保持体が把持体に着脱自在となるものであることを特徴とするローラー型マッサージ器。
【考案の詳細な説明】
【技術分野】
【０００１】  本考案は、回転部が着脱できるローラー型マッサージ器に関する。
【背景技術】
【０００２】  顔や首筋等の部位にローラーを当接してマッサージ効果により当該箇所の凝りをほぐしたり血行促進により肌の艶を増進・取り戻すこと等を所期した装置・器具は従来から多数存在する。ローラーの形状・大きさ・個数も様々であり、通常は簡単に使用できる携帯型のものが汎用されており、握り柄の上部にローラーが軸支されている態様のもの、あるいは手のひら内に収まる握り部の上面に複数個のローラーを埋設したもの、更にはローラーを電動式に回転するようにしたものなどはその一例である。
【先行技術文献】
【特許文献】
【０００３】
【特許文献１】登録実用新案第３１６００４６号公報
【特許文献２】登録実用新案第３１５１５９８号公報
【特許文献３】特開２００４−２４２７７０号公報
【考案の概要】
【考案が解決しようとする課題】
【０００４】  すなわち特許文献１には、二股形状とした把手にローラーを回転自在に挟着した美容ローラーが開示されている。この技術は把手、ローラー、及びビスなどをチタン製としたことで皮膚面の汚れや細菌を分解して皮膚を活性化するというものであり、構造上の効果よりもチタン製にしたことを特徴としていると認められるが、チタンを素材とすることは多分野において広く実施されているところであるから格別目新しい技術ということはできない。【０００５】  特許文献２は、顔のコリ、むくみなどを解消するための美顔ローラーに関する技術であり、３つのステンレス球を取り付けたボール支えを半球状の本体に固着し、本体にキャップをかぶせることができるとしている。そして使用後は前記キャップをし、手のひらにキャップを叩きつけることにより、３つのステンレス球が外れボール支えの底に老廃物などが溜まるので掃除が簡単にできて清潔が保たれるということを謳っている。しかしながら外れたステンレス球を再度取り付けるということはすこぶる手間のかかることであり、また溜まった老廃物を掃除することも余分な作業といえる。【０００６】  ２個の円筒状ローラーを電動で逆向きに回転させ、皮膚を引っ張り合うようにすることでマッサージ効果を得ることができるとする技術が特許文献３に開示されている。この装置は把持部材の内部に電池を装填してスイッチ操作によりモーターを駆動し、それによりローラーを回転させるとした構成をとる。したがってローラーを回転するためにはそれなりの装備を必要とし、構造が複雑となって製作手数がかかり製品を高価とするおそれがある。２個のローラーは離れて配置されるので皮膚面の部位によっては一方のローラーのみが当接し、他方は空転して邪魔になるなどの問題点もある。【０００７】  本考案はこのような従来技術に鑑みてなされたもので、簡単な構成で程よいマッサージ効果が得られ、ローラーの交換もできて内部に小物なども収納できるマッサージ器を提供することを目的としている。
【課題を解決するための手段】
【０００８】  上記目的を達成するために本考案は、把持体と、把持体上部に位置し且つ回転体を突出させて取り付ける挟持部を有する保持体からなるマッサージ器であって、前記把持体は内部に小物を収納できる筒形・浅碗形等の中空形状であり上端に凹ねじが形成され、該凹ねじに螺合する凸ねじが前記保持体下端に形成され、保持体が把持体に着脱自在となるものであることを特徴とする。
【考案の効果】
【０００９】  保持体が把持体上部に位置しているため把持体を片手で掴めば保持体に突出している回転体を顔、首筋、肩などの部位に当接できる。把持体を移動するたびに回転体が保持体内において自由回転するため皮膚面に程よい刺激を与え、凝りの緩和、肌艶の改善等が図られる。保持体は着脱自在であるから回転体の大きさ・個数・形状の異なるものと交換ができ、好みに応じたマッサージをすることができる。【００１０】  把持体は中空形状であるから筒形のものであれば内部に電池・小型モーター等の細長形の物を収納でき、また碗形状のものであればアクセサリーなどを収納することも可能であり、マッサージ用途以外にも使用できるという一石二鳥的効果がある。
【図面の簡単な説明】
【００１１】
【図１】把持体が筒形である本考案の実施形態を示す説明図である。
【図２】図１における保持体の変形例を示す説明図である。
【図３】把持体を碗形とした本考案の他の実施形態を示す説明図である。
【考案を実施するための形態】
【００１２】  図面を参照して本考案を説明すると、図１は全体が細長形の本案マッサージ器を示す第一の実施形態であって、大人の手のひら内に納まる長さ（８ｃｍ程度）を有する筒形の把持体１と、パチンコ玉状の球体である回転体３を取り付けた保持体２で構成してある。把持体１の上端には凹ねじ１’が形成され、保持体２の下端には前記凹ねじ１’と螺合する凸ねじ２’が形成されていて保持体２は把持体１に着脱自在となる。そして相互のねじ部を係合すると保持体２の外周面は把持体１とほヾ面一となりスマートな外観を呈する。
【００１３】  保持体２には回転体３を支えるための挟持部２ａがあり、該挟持部の内面は回転体３の球面に沿っていて、回転体３は挟持部内面において自由回転する。挟持部２ａは図では３箇所に割れ目Ｍを設けて弾性を有し回転体３を挟持部２ａから取り出すことも取り付けることもできるようにしてある。また保持体２を把持体１と一体状にすることで把持体１は密閉されるので内部に例えばボールペンなどの細長形小物を収納するのに都合がよい。
【００１４】  回転体３は上記の図例に限定されないため例えば図２に示す変形例のようにすることもできる。図２における（ａ）・（ｂ）は大きさの異なる複数段（図では三段）の正面視円形の回転体３を保持体２の前後挟持部に軸支Ｐしたものであり、（ｃ）・（ｄ）は側面視円形の回転体３を保持体２の左右挟持部に軸支したものである。
【００１５】  図３は浅碗形の把持体１１の上部に保持体１２を取り付けてなる本考案の第二の実施形態を示すもので、第一の実施形態と構造上の相違はあるが基本構成は同一である。この実施形態では把持体１１が浅碗形であり、保持体１２は下端部が円盤型で該部に凸ねじ１２’が形成され、把持体１１の上端に形成した凹ねじ１１’に凸ねじ１２’が螺合することにより保持体１２は把持体１１と一体状となり螺合を解くことにより保持体１２は把持体１１から取出しされる。しかして保持体１２の三箇所に設けた挟持部１２ａに回転体１３は夫々支えられて突出し肌面に当接したとき回転体１３は挟持部１２ａ内を自由回転することは第一の実施形態と同様である。
【００１６】  把持体１１を浅碗形としたことで保持体１２も円盤型の面を構成できるため筒状のものと異なり同形状の回転体１３を複数個（図では三個）取り付けでき、その分幅広く皮膚面をマッサージできる。係合したときに保持体１２の円盤面を把持体１１の上面と面一状にすることですっきりとした外観とすることができ、また保持体１２で把持体１１の上面を閉塞するので把持体１１内に小物を収納しても飛び出ることがない。なおこの実施形態でも回転体１３の大きさ・形状・個数は任意に選択できることに変わりはなく第一の実施形態の図例のような回転体とすることもできる。
【００１７】  本考案における把持体１・１１及び保持体２・１２の素材に特に限定はなく、金属材料、合成樹脂など夫々の形体に対応したものを使用するが、回転体３・１３は絶えず皮膚面に接し且つ回転動作が円滑で堅牢であることなどからステンレス材が適し、また挟持部２ａ・１２ａは回転体３・１３の取り付けを容易にするために合成樹脂材が好ましい。なお把持体１・１１の内部に、電池・小型モーターを取り付けて回転体に振動を与えたり発熱体を収納して回転体を温めるなどすることも可能であるが、それらの付加事項も本考案の実施の範疇に属し、また保持体２・１２は図では外観円形としてあるが、溝付き・多角形状などとしても何ら本考案の目的効果を逸脱するものでないこと勿論である。
【符号の説明】
【００１８】１・１１  把持体
１’・１１’  凹ねじ
２・１２  保持体
２’・１２’  凸ねじ
２ａ・１２ａ  挟持部
３・１３  回転体
【図１】
0003182910.tif 000003
【図２】
0003182910.tif 000004
【図３】
0003182910.tif 000005